(57)【要約】【課題】見込み寸法の小さい陳列棚用パネル体及びその陳列棚用パネル体を備える商品陳列棚を提供する。【解決手段】本発明の陳列棚用パネル体５は、棚板１５の一端側に設けるものであり、導光板２１と、導光板２１の四周を保持する導光板保持枠２３とを有し、導光板２１は正面及び背面の少なくとも一面を発光面としており、導光板保持枠２３は内周面に導光板保持溝２５を有し、上下左右の少なくとも一つの導光板保持溝２５に導光板２１の端面に対向する発光ダイオード２７を設けている。【選択図】図１
2010207521.tif 000002
【特許請求の範囲】
【請求項１】
棚板の一端側に設けるものであり、導光板と、導光板の四周を保持する導光板保持枠とを有し、導光板は正面及び背面の少なくとも一面を発光面としており、導光板保持枠は内周面に導光板保持溝を有し、上下左右の少なくとも一つの導光板保持溝に導光板の端面に対向する発光ダイオードを設けていることを特徴とする陳列棚用パネル体。
【請求項２】
透光部材製の表示パネルを備え、導光板保持枠は、導光板保持溝の正面側及び背面側の少なくとも一側の内周面に表示パネルの保持溝を有することを特徴とする請求項１に記載の陳列棚用パネル体。
【請求項３】
表示パネル保持溝は、導光板保持枠の左右に設けて上から表示パネルを抜き差し自在、又は導光板保持枠の上下に設けて左又は右から表示パネルを抜き差し自在としてあることを特徴とする請求項２に記載の陳列棚用パネル体。
【請求項４】
導光板保持枠の左右の外周側部には、正面側及び背面側の少なくとも一側の見付け面に棚板係止孔が設けてあることを特徴とする請求項１〜３の何れか一項に記載の陳列棚用パネル体。
【請求項５】
導光板保持枠の左右の外周側部には、正面側及び背面側の少なくとも一側の見付け面に縦溝が設けてあり、係止孔は縦溝の溝底に設けてあることを特徴とする請求項４に記載の陳列棚用パネル体。
【請求項６】
請求項１〜５の何れか一項に記載の陳列棚用パネル体を備えることを特徴とする商品陳列棚。
【発明の詳細な説明】
【技術分野】
【０００１】
本発明は、棚板の一端側に設ける陳列棚用パネル体及び商品陳列棚に関する。
【背景技術】
【０００２】
特許文献１には、陳列棚用パネル体が開示されており、このパネル体は左右の枠内に蛍光灯を設けてパネル面を照らしている。
特許文献２には、透明棚板の端面に発光ダイオードを対向配置して棚板を発光面することが開示されている。
【先行技術文献】
【特許文献】
【０００３】
【特許文献１】特開平１１−３２９０５７号公報
【特許文献２】特開２００６−３１８７８９号公報
【発明の概要】
【発明が解決しようとする課題】
【０００４】
しかし、特許文献１の技術は、枠内に蛍光灯を設けて、蛍光灯でパネル面を照らす構成なので、陳列棚用パネル体の見込み寸法が大きくなるという問題がある。
特許文献２の技術では、棚板が面発光するものであり、棚板の一端側に設けた陳列棚用パネル体が光を発するものではない。
【０００５】
そこで、本発明は、見込み寸法の小さい陳列棚用パネル体及びその陳列棚用パネル体を備える商品陳列棚の提供を目的とする。
【課題を解決するための手段】
【０００６】
請求項１に記載の発明は、棚板の一端側に設けるものであり、導光板と、導光板の四周を保持する導光板保持枠とを有し、導光板は正面及び背面の少なくとも一面を発光面としており、導光板保持枠は内周面に導光板保持溝を有し、上下左右の少なくとも一つの導光板保持溝に導光板の端面に対向する発光ダイオードを設けていることを特徴とする。
【０００７】
請求項２に記載の発明は、請求項１に記載の発明において、透光部材製の表示パネルを備え、導光板保持枠は、導光板保持溝の正面側及び背面側の少なくとも一側の内周面に表示パネルの保持溝を有することを特徴とする。
表示パネルとは、商品に関する広告や、デザイン等が施されたパネルである。
【０００８】
請求項３に記載の発明は、請求項２に記載の発明において、表示パネル保持溝は、導光板保持枠の左右に設けて上から表示パネルを抜き差し自在、又は導光板保持枠の上下に設けて左又は右から表示パネルを抜き差し自在としてあることを特徴とする。
【０００９】
請求項４に記載の発明は、請求項１〜３の何れか一項に記載の発明において、導光板保持枠の左右の外周側部には、正面側及び背面側の少なくとも一側の見付け面に棚板係止孔が設けてあることを特徴とする。
【００１０】
請求項５に記載の発明は、請求項４に記載の発明において、導光板保持枠の左右の外周側部には、正面側及び背面側の少なくとも一側の見付け面に縦溝が設けてあり、係止孔は縦溝の溝底に設けてあることを特徴とする。
【００１１】
請求項６に記載の発明は、請求項１〜５の何れか一項に記載の陳列棚用パネル体を備えることを特徴とする商品陳列棚である。
【発明の効果】
【００１２】
請求項１に記載の発明によれば、棚板の一端側に設ける陳列棚用パネル体において、導光板の端面に発光ダイオードを対向配置して、導光板の面を発光させる構成であるから、蛍光灯を用いる場合に比較してパネル体の見込み寸法を小さくできる。
【００１３】
請求項２に記載の発明によれば、請求項１に記載の効果を奏すると共に導光板の発光面で表示パネルを照らして表示することができる。
また、導光板の発光面で表示パネルを照らすので、表示パネルを斑なく略均一に照らすことができる。
【００１４】
請求項３に記載の発明によれば、請求項２に記載の効果を奏すると共に表示パネルが抜き差し自在であるから、表示パネルの取付けや交換が簡単にできる。
【００１５】
請求項４に記載の発明によれば、請求項１〜３の何れか一項に記載の効果を奏すると共に陳列棚用パネル体の正面又は背面に棚板を取付けることができる。
【００１６】
請求項５に記載の発明によれば、請求項４に記載の効果を奏すると共に係止孔を目立たなくでき、棚板を取付けていない場合に見栄えが良い。
【００１７】
請求項６に記載の発明によれば、請求項１〜５の何れか一項に記載の効果を奏する商品陳列棚を提供できる。
【図面の簡単な説明】
【００１８】
【図１】第１実施の形態に係る陳列棚用パネル体を図５に示すＡ−Ａ位置で切断した断面図である。
【図２】第１実施の形態に係る陳列棚用パネル体を図５に示すＢ−Ｂ位置で切断した断面図である。
【図３】第１実施の形態に係る陳列棚用パネル体を図５に示すＣ−Ｃ位置で切断した断面図である。
【図４】第１実施の形態に係る陳列棚用パネル体の分解斜視図である。
【図５】第１実施の形態に係る商品陳列棚の斜視図である。
【図６】第２実施の形態に係る陳列棚用パネル体を図５に示すＡ−Ａ位置と同じ位置で切断して示す断面図である。
【図７】第３実施の形態に係る陳列棚用パネル体を図５に示すＡ−Ａ位置と同じ位置で切断して示す断面図である。
【図８】第４実施の形態に係る陳列棚用パネル体を図５に示すＡ−Ａ位置と同じ位置で切断して示す断面図である。
【図９】第５実施の形態に係る商品陳列棚の図であり、（ａ）は正面図、（ｂ）は側面図、（ｃ）は背面図、（ｄ）は平面図である。
【図１０】図９（ａ）に示す陳列棚用パネル体をＡ―Ａ位置で切断した断面図である。
【発明を実施するための形態】
【００１９】
以下に、添付図面を参照して本発明の実施の形態を説明するが、先ず図１〜図５を参照して第１実施の形態について説明する。
図５に示すように、第１実施の形態に係る商品陳列棚１は、陳列棚本体３と陳列端本体の左右に設けた陳列棚用パネル体（第１実施の形態に係る陳列棚用パネル体）５とから構成されている。
陳列棚本体３は、左右に間隔をあけて配置した支柱７と支柱７、７間に設けた背面板９とを備えており、支柱７には前側と後側の見付け面に各々棚板係止孔１１が設けてあり、前後各々の棚板係止孔１１に棚板支持部材１３を係止して、左右の棚板支持部材１３、１３間に棚板１５を取付けてある。陳列棚本体３の上部にはパラペット１７が設けてある。尚、棚板１５は透明部材でできている。
陳列棚用パネル体５は、陳列棚本体３の棚板１５の左端側と右側端に各々設けてある。左右の陳列棚用パネル体５は略同じ構成であるから、以下の説明では図５における左側の陳列棚用パネル体５について説明する。
図１及び図４に示すように、陳列棚用パネル体５は、導光板２１と、導光板２１の四周を保持する導光板保持枠２３を備えている。
導光板２１は正面（図５の左側）から見て四角形状を成し、図１に示すように、背面側には反射板２０が取付けられており、正面側の面を発光面にしている。
図４に示すように、導光板保持枠２３は、左右の枠材２３ａ、２３ｂと、上枠材２３ｃと、下枠材２３ｄとから構成されている。
先ず、左右の枠材２３ａ、２３ｂについて説明するが、左右の枠材２３ａ、２３ｂは同じ構成であるから、右側の枠材２３ａについて説明する。
図１に示すように、右側の枠材２３ａは、内周面に上下方向の導光板保持溝２５が設けてあり、導光板保持溝２５内には導光板２１の端面に対向する位置に発光ダイオード２７が設けてある。発光ダイオード２７は上下方向に間隔をあけて複数設けてあり、上下方向に長い保持体２９により保持されている。
導光板保持溝２５内には導光板２１の背面側に設けた化粧パネル３７が、導光板２１と共に保持されている。化粧パネル３７は、不透光パネルであり、背面側から反射板１９が見えないように隠している。
導光板保持溝２５の正面側には、パネル保持溝３１が上下方向に設けてあり、パネル保持溝３１に上方から表示パネル３５をスライド自在に保持している。表示パネル３５は透光部材でできており、商品に関する広告やデザイン等が施されている。
右側の枠材２３ａは、導光板保持溝２５を形成する溝部材３９と、溝部材３９を固定する固定部材４１と、カバー部材４３と、カバー部材の内周側に設けた棚板係止部材４５とを備えている。溝部材３９は、横断面略Ｌ字形状を成しており、カバー部材４３の背面側端部５３とにより内周側を開口した断面略コ字形状の導光板保持溝２５を形成している。固定部材４１は、溝部材３９よりも見込み寸法を大きくしてあり、見込み部５１の内周側面に溝部材３９を固定しており、正面側端部４７を内周に向けて突設してあり、背面側端部４９は外周側に向けて突設してあり、正面側端部４７と溝部材３９との間に正面側のパネル保持溝３１を形成している。
カバー部材４１は、背面側端部５３を内周側に向けて突設してあり、正面側端部５５を内周側に向けて突設してあり、正面側端部５５の先端は固定部材４１の見込み部５１との間に隙間５９を形成している。
固定部材４１の見込み部５１とカバー部材４３の外周側部５７との間の空間に横断面略Ｌ字状の棚板係止部材４５が配置されており、固定部材４１の見込み部５１と棚板係止部材４５とカバー部材４３の正面側端部５５とで縦溝６１を形成している。棚板係止部材４５の背面側部は縦溝６１の溝底４５ａを形成しており、溝底４５ａに棚板係止孔６３が長手方向に間隔をあけて複数形成されている。
図２に示すように、上枠材２３ｃは、下向きに開口した溝を有し、溝内に仕切り部材６５を設けて、上枠材２３ｃの背面側溝壁６２と仕切り部材６５との間に導光板保持溝２５を形成しており、導光板保持溝２５では、上枠材２３ｃの正面側溝壁６６と仕切り部材６５との間にパネル保持溝３１を形成している。尚、化粧パネル３７は導光板保持溝２５に導光板２１と共に保持されている。
上枠材２３ｃには、背面側に突設する係止部材６７が設けてあり、陳列棚本体３の左右端にある支柱７の係止孔６９に係止するようになっている。図４に示すように、上枠材２３ｃは、左右の枠材２３ａ、２３ｂの上端を左右から止めるねじ７０で連結している。
図３及び図４に示すように、下枠材２３ｄは、左右の枠材２３ａ、２３ｂの下端部を連結する下連結材７１の上端に固定してある。下枠材２３ｄは、上枠材２３ｃと同様に、仕切部材６５により導光板保持溝２５とその正面側にパネル保持溝３１を形成している。
【００２０】
次に、本実施の形態に係る陳列棚用パネル体５の組立て及び作用効果について説明する。図４に示すように、左右の枠材２３ａ、２３ｂの導光板保持溝２５に発光ダイオード２７を設けた支持体２９を嵌合固定し、図１に示すように、導光板２１の左右端を発光ダイオード２７に対向配置して導光板２１と共に化粧パネル３７を導光板保持溝２５に嵌め入れて固定する。次に、下連結材７１に左右の枠材２３ａ、２３ｂを固定し、下枠材２３ｄの導光板保持溝２５に導光板２１と化粧パネル３７を嵌め入れ、表示パネル３５を左右の枠材２３ａ、２３ｂのパネル保持溝３１に上から挿入して装着する。最後に、上枠材２３ｃの導光板保持溝２５に導光板２１と化粧パネル３７を嵌め入れると共に、パネル保持溝３１に表示パネル３５を挿入して、左右の枠材２３ａ、２３ｂに左右側から止めるねじ７０で固定する。
そして、図２に示すように、商品陳列棚本体３の左右側端の支柱７の係止孔６９に、陳列棚用パネル体５の上枠材２３ｃに設けた係止部６７を係止して、図５に示すように陳列棚用パネル体５を陳列棚本体３に取付ける。
図５に示すように、陳列棚用パネル体５の正面には、必要に応じて棚板１５を取付けるが、棚板１５の取付けは、左右の枠材２３ａ、２３ｂに設けてある棚板係止孔６３に棚板支持材１３を係止して左右の棚板支持材１３、１３に棚板１５を取付ける。
【００２１】
本実施の形態によれば、商品陳列棚本体３の棚板１５の一端側に陳列棚用パネル体５を設置し、陳列棚用パネル体５の正面に配置した表示パネル３５を背面から光で照らして表示することができる。
陳列棚用パネル体５は、端面に発光ダイオード２７を対向配置した導光板２１の発光面が光を発する構成であるから、蛍光灯を用いる場合に比較してパネル体の見込み寸法を小さくできる。
導光板２１の発光面で光を発しているので、表示パネル３５を斑なく略均一に照らすことができる。
表示パネル３５は、左右の枠材２３ａ、２３ｂに設けた上下方向のパネル保持溝３１に装着してあるから、上枠材２３ｃを外して、表示パネル３５を抜き差しできるから、表示パネル３５の取付けや交換が簡単にできる。
左右の枠材２３ａ、２３ｂの正面側には、棚板係止孔６３を設けているので、図５に示すように、必要に応じて陳列棚用パネル体５の正面に棚板７を取付けることができる。
棚板係止孔６３は、縦溝６１の溝底４５ａに形成しているので、係止孔６３が正面から見え難く目立たないので、棚板１５を取付けていない場合に見栄えが良い。
陳列棚用パネル体５は、既存の商品陳列棚本体３の支柱７に係止部材６７を係止することにより後付けできる。
【００２２】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図６は第２実施の形態に係る陳列棚用パネル体５を示したものである。この第２実施の形態では、導光板保持溝部材３９を、固定部材の正面側端部４９とカバー部材４３の背面側端部との間に各々隙間をあけて取付けており、導光板保持溝２５の正面側と背面側とにパネル保持溝３１、３３を設けたものである。
また、導光板２１には正面側面に反射板１９を取付けてあり、正面側のパネル保持溝３１に化粧パネル３７を装着し、背面側のパネル保持溝３３に表示パネル３５を装着する構成となっている。
【００２３】
この第２実施の形態によれば、表示パネル３５を商品陳列棚本体３（図５参照）に向けて照らしていることが上述した第１実施の形態と異なると共に、導光板保持溝２５の正面側と背面側とにパネル保持溝３１、１１を設けているので、表示パネル３５及び化粧パネル３７を各々上から抜き差し自在としてあるから、表示パネル３５及び化粧パネル３７の交換や取付けが容易にできる。
更に、この第２実施の形態によれば、陳列棚用パネル体５の組立て時又は組立て後に導光板２１の左右を入れ替えて取付けることにより、発光面を正面側に変えることができ、この場合、正面側のパネル保持溝に３１に表示パネル３５を装着し、背面側のパネル保持溝３３に化粧パネル３７を装着することにより、導光板２１の発光面と表皮パネル３５と化粧パネル３７の位置を入れ替えることができる。
その他の点は、第１実施の形態と同様の作用効果を奏することができる。
【００２４】
図７は、第３実施の形態に係る陳列棚用パネル体５を示したものである。この第３実施の形態の陳列棚用パネル体５は、第２実施の形態において、左右の枠材２３ａ、２３ｂに導光板２１及び導光板保持溝部材３９を正面側と背面側とに２つ隣り合わせに設けたものであり、各導光板２１、２１の対向面側に各々反射板１９を設けたものである。
【００２５】
この第３実施の形態によれば、導光板２１の背面と正面とが発光面になっているので、導光板２１の背面と正面の両方に表示パネル３５、３５を設けて照らすことができる。
【００２６】
図８は、第４実施の形態に係る陳列棚用パネル体５を示したものである。この第４実施の形態では、第１実施の形態に対して、導光板保持溝部材３９の形状を変えたものであり、導光板保持溝部材３９正面側端３９ａを正面側に突設し、背面側端３９ｂを背面側に突設する形状とし、正面側端３９ａと固定部材４１の正面側端４７との間に正面側のパネル保持溝３１を形成し、背面側端３９ｂとカバー部材の４３の背面側端５３との間に背面側のパネル保持溝３３を形成している。
【００２７】
この第４実施の形態によれば、第３実施の形態と同様の作用効果と共に、両面発光の導光板２１と表示パネル３５との間隔を広く取ることができるので、一つの導光板２１で正面と背面とに設けた表示パネル３５、３５を照らした場合でも一方の表示パネル３５の像が他方の表示パネル３５から透けて見えるのを防止できる。即ち、この第４実施の形態において、表示パネル３５と導光板２１との間隔を例えば、図７と同じような間隔とした場合には、一方の表示パネル３５の表示（像）が他方の表示パネル３５から透けて見えることがあるが、第４実施の形態では表示パネル３５と導光板２１との間隔を広く取っているので、そのように透けて見えることを防止できるのである。
尚、第４実施の形態では、導光板保持溝部材３９の正面端３９ａと背面側端３９ｂとの突設寸法を変えることにより、導光板２１と表示パネル３５との間隔調整が容易にできる。
【００２８】
図９及び図１０は、第５実施の形態に係る商品陳列棚１を示したものである。この商品陳列棚１は、左右の支柱７７、７７と、各支柱７７の下端に設けた台座７９とを備えており、左右の支柱７７、７７間に陳列棚用パネル体５を取付けたものであり、陳列棚用パネル体５の左右の枠材２３ａ、２３ｂには、その正面側と背面側とに各々棚板係止孔６３を設けて、正面側と背面側とに棚板１５を取付けたものである。
【００２９】
この第５実施の形態に係る商品陳列棚１の陳列棚用パネル体５は、図１０に示すように、左右の枠材２３ａ、２３ｂにおいて、固定部材４１及びカバー部材４３に横断面略コ字状にして、カバー部材４３の正面と背面側とに隙間５９を設けてあると共に固定部材４１とカバー部材４３との間に棚板係止部材４５を設けてある。棚板係止部材４５には、その正面側部と背面側部とに棚板係止孔６３が形成してある。陳列棚用パネル体５のその他の構成は、図８に示す第４実施の形態と同様である。
この第５実施の形態に係る商品陳列棚１によれば、正面と背面とで表示パネル３５を表示できると共に、正面と背面とに棚板１５を有するコンパクトな商品陳列棚１を提供することができる。
【００３０】
本発明は、上述した実施の形態に限らず、本発明の要旨を逸脱しない範囲で種々変形可能である。
パネル保持溝３１、３３は各々、左右の枠材２３ａ、２３ｂのみに設けてもよいし、上下の枠材２３ｃ、２３ｄのみに設けるものであっても良い。上下の枠材２３ｃ、２３ｄにパネル保持溝３１がある場合には、左右の枠材２３ａ、２３ｂの何れかを外して抜き差し自在にしても良い。
発光ダイオード２７は、左右枠材２３ａ、２３ｂの何れか一方にのみ設けるものであっても良いし、上枠材２３ｃ、下枠材２３ｄの両方あるいは何れか一方にのみ設けるものであっても良い。更に、左右枠材２３ａ、２３ｂ、上枠材２３ｃ及び下枠材２３ｄの全てに設けるものであっても良い。
陳列棚用パネル体５は、図５に示す陳列棚本体３の背板９に換えて用いるものであっても良い。
図９に示す商品陳列棚１において、棚板１５は陳列棚用パネル体５の正面又は背面の一面側にのみ設けるものであって良いし、台座７９は棚板１５側に設けてあれば良く、正面側又は背面側のみに突設するものであっても良い。
また、図９に示す商品陳列棚１において、陳列棚用パネル体５には、第１〜第４実施の形態に係る陳列棚用パネル体５を用いるものであっても良い。
第１〜第４実施の形態に係る陳列棚用パネル体５の導光板保持枠２３を、第５実施の形態に係る陳列棚用パネル体５の導光板保持枠２３と同様な構成にして正面側と背面側とに棚板係止孔６３を設けてもよい。
請求項１に係る発明では、導光板２１の正面や背面に、表示パネル３５や化粧パネル３７を設けないで、陳列棚用パネル体５が光を照射するだけのものであっても良く、例えば、図１に示す陳列棚用パネル体５において、表示パネル３５を取付けないで導光板２１の光を発するだけであっても良いし、表示パネル３５に換えて半透明板を設けてぼやけた感じの光を発するようにしても良い。
請求項１〜３に係る発明では、左右の枠材２３ａ、２３ｂに棚板係止孔６３を設けないものであって良い。
請求項１〜４に係る発明では、棚板係止孔６３は、縦溝６１の溝底４５ａに設けることに限らず、例えば、カバー部材４３の正面側端部に形成するものであっても良い。
【符号の説明】
【００３１】
１      商品陳列棚
５      陳列棚用パネル体
２１    導光板
２３    導光板保持枠
２３ａ、２３ｂ    左右の枠材
２５    導光板保持溝
２７    発光ダイオード
３１、３３    パネル保持溝
３５    表示パネル
４５ａ  溝底
６１    縦溝
６３    棚板係止孔
【図１】
2010207521.tif 000003
【図２】
2010207521.tif 000004
【図３】
2010207521.tif 000005
【図４】
2010207521.tif 000006
【図５】
2010207521.tif 000007
【図６】
2010207521.tif 000008
【図７】
2010207521.tif 000009
【図８】
2010207521.tif 000010
【図９】
2010207521.tif 000011
【図１０】
2010207521.tif 000012